(57)【要約】      （修正有）【課題】シャワーの使用時に、装着者が自由に両手を使うことができ、かつ、噴射水を所望の位置に的確に当てることのできる肩掛式シャワーホルダーを提供する。【解決手段】肩掛式シャワーホルダー１０は、装着者の胴回りに取り付けられるベルト体２０と、ベルト体と交差する方向へ延び、シャワーヘッド１が旋回可能に支持される支持体３０とを含む。支持体は、装着者の肩に掛けられる肩掛部３２を有し、肩掛部にシャワーヘッドが掛止されるフック４２を有する保持部４０がスライド可能かつ回転可能に配置される。【選択図】図１
0003227090.tif 000002
【実用新案登録請求の範囲】
【請求項１】
装着者の胴回りに取り付けられるベルト体と、前記ベルト体と交差する方向へ延び、シャワーヘッドが支持される支持体とを含み、
前記支持体は、前記装着者の肩に掛けられる肩掛部を有し、前記肩掛部に前記シャワーヘッドが掛止されるフックを有する保持部が位置する肩掛式シャワーホルダー。
【請求項２】
前記支持体は、前記ベルト体に旋回可能に取り付けられる請求項１に記載の肩掛式シャワーホルダー。
【請求項３】
前記保持部は、前記肩掛部において、その長さ方向へスライド可能かつ回転可能に配置されている請求項１又は２に記載の肩掛式シャワーホルダー。
【請求項４】
前記ベルト体は、前記装着者の脇腹に掛けられる曲状部分を有し、前記支持体の前記肩掛部は前記装着者の肩に掛けられる曲状部分を有する請求項１〜３のいずれかに記載の肩掛式シャワーホルダー。
【請求項５】
前記装着者の身体に装着されるＬ字形の装着本体をさらに含み、前記装着本体は、前記ベルト体又は前記装着者の肩に掛けられる肩掛体に相当する第１部分と、前記第１部分と交差するように延びて、前記肩掛体又は前記ベルト体に相当する第２部分とを有し、前記支持体は、前記第１部分の外面側においてその長さ方向に延びる第１支持体と前記第２部分の外面側においてその長さ方向に延びる第２支持体とを有する請求項１〜４のいずれかに記載の肩掛式シャワーホルダー。
【請求項６】
前記第１支持体と前記第２支持体とは、前記第１部分と前記第２部分とが互いに交差する中間部分に位置するジョイントを介して互いに連結される請求項５に記載の肩掛式シャワーホルダー。
【考案の詳細な説明】
【技術分野】
【０００１】
本考案は、身体に装着可能なシャワーホルダー、特に、肩掛式シャワーホルダーに関する。
【背景技術】
【０００２】
従来、身体に装着可能なシャワーホルダーは、公知である。例えば、特許文献１には、シャワーヘッドを掛止するフックが胸当部に位置するエプロン型の身体装着可能なシャワーホルダーが開示されている。
【先行技術文献】
【特許文献】
【０００３】
【特許文献１】特開２００３−３１３７０８号（ＪＰ２００３−３１３７０８）
【考案の開示】
【考案が解決しようとする課題】
【０００４】
通常、浴室などでシャワーを使用する際に、的確に所望の場所にシャワーヘッドのノズルから噴射された噴射水を当てたい場合、使用者が片手でシャワーヘッドを保持しながら、他方の手で洗体や洗髪、風呂釜洗い等を行うことになり、両手で作業することができないことから、作業効率が低下する。
【０００５】
特許文献１に開示された身体に装着可能なシャワーホルダーによれば、装着者がエプロン型の支持具を装着した状態でフックにシャワーヘッドを固定することによって、装着者は両手を自由に動かすことができる。したがって、自宅の浴室等の作業のほかに、例えば、介護施設や病院等において被介護者の入浴を補助する場合において、介護者である装着者の前方に位置する被介護者に対してシャワーヘッドから噴射される水を当てながら、装着者は、被介護者の身体を両手を使って洗うことができる。さらに、動物病院等においてペットの洗体作業をする場合や、スーパー、薬局等の小売店や工場等の各種施設における洗浄作業についても利用することができる。
【０００６】
しかしながら、シャワーヘッドを固定するフックが装着者の身体の略中央に位置することから、装着者が身体を動かして被介護者の適切な箇所にシャワーヘッドが向くように調整することができない。また、シャワーヘッドを装着者の胸部から上方に位置させることができないことから、噴射水の噴射範囲が狭くなり、所望の位置に噴射水を的確に当てることができないおそれがある。
【０００７】
本考案の目的は、従来の身体に装着可能なシャワーホルダーの改良であって、シャワーの使用時に、装着者が自由に両手を使うことができ、かつ、噴射水を所望の位置に的確に当てることのできる肩掛式シャワーホルダーの提供にある。
【課題を解決するための手段】
【０００８】
前記課題を解決するために、本考案は、装着者の胴回りに取り付けられるベルト体と、前記ベルト体と交差する方向へ延び、シャワーヘッドが支持される支持体とを含み、前記支持体は、前記装着者の肩に掛けられる肩掛部を有し、前記肩掛部に前記シャワーヘッドが掛止されるフックを有する保持部が位置する肩掛式シャワーホルダーに関する。
【０００９】
本考案に係る肩掛式シャワーホルダーは、以下の実施の態様を含む。
（１）前記支持体は、前記ベルト体に旋回可能に取り付けられる。
（２）前記保持部は、前記肩掛部において、その長さ方向へスライド可能かつ回転可能に配置されている。
（３）前記ベルト体は、前記装着者の脇腹に掛けられる曲状部分を有し、前記支持体の前記肩掛部は前記装着者の肩に掛けられる曲状部分を有する。
（４）前期装着者の身体に装着されるＬ字形の装着本体をさらに含み、前記装着本体は、前記ベルト体又は前期装着者の肩に掛けられる肩掛体に相当する第１部分と、前記第１部分と交差するように延びて、前記肩掛体又は前記ベルト体に相当する第２部分とを有し、前記支持体は、前記第１部分の外面側においてその長さ方向に延びる第１支持体と前記第２部分の外面側においてその長さ方向に延びる第２支持体とを有する。
（５）前記第１支持体と前記第２支持体とは、前記第１部分と前記第２部分とが互いに交差する中間部分に位置するジョイントを介して互いに連結される。
【考案の効果】
【００１０】
本考案に係る肩掛式シャワーホルダーは、装着者の胴回りに取り付けられるベルト体と、装着者の肩に掛けられる肩掛部を有し、肩掛部にシャワーヘッドが掛止されるフックを有する保持部が位置することから、肩の動きでシャワーヘッドの向きを調整することができるとともに、肩と胴回りとに取り付けられることによって身体に安定的に装着される。
【図面の簡単な説明】
【００１１】
【図１】本考案の第１形態に係る肩掛式シャワーホルダーの斜視図。
【図２】支持体とベルト体を分離した状態における斜視図。
【図３】肩掛式シャワーホルダーの分解斜視図。
【図４】肩掛式シャワーホルダーを装着した状態を示す図。
【図５】肩掛式シャワーホルダーの他の装着態様を示す図。
【図６】（ａ）肩掛式シャワーホルダーにおいて、シャワーヘッドを外側へ向けた状態を示す図。（ｂ）肩掛式シャワーホルダーにおいて、シャワーヘッドを内側へ向けた状態を示す図。
【図７】（ａ）肩掛式シャワーホルダーにおいて、シャワーヘッドを上方に移動させた状態を示す図。（ｂ）肩掛式シャワーホルダーにおいてシャワーヘッドを下方に移動させた状態を示す図。
【図８】肩掛式シャワーホルダーをコンパクトにした状態を示す図。
【図９】第１実施形態に係る肩掛式シャワーホルダーの他の実施態様における図２と同様の図。
【図１０】第２実施形態に係る肩掛式シャワーホルダーの使用状態を示す図。
【図１１】第２実施形態における肩掛式シャワーホルダーを装着者の左肩に掛けた使用状態を示す図。
【図１２】第２実施形態における肩掛式シャワーホルダーを装着者の右肩に掛けた使用状態を示す図。
【考案を実施するための形態】
【００１２】
添付の図面を参照して、本考案に係る肩掛式シャワーホルダーの詳細を説明すると、以下のとおりである。
【００１３】
＜第１実施形態＞
図１及び図２を参照すると、シャワーヘッド１を支持するための、肩掛式シャワーホルダー１０は、上下方向Ｙとそれに直交する横方向Ｘとを有し、横方向Ｘへ延び、着用者の胴体に対して横断するように装着されるベルト体２０と、シャワーヘッド１を支持するための支持体（支持棒）３０とを含む。ベルト体２０は、その長さ方向において互いに対向する第１端２１及び第２端２２と、第１端２１と第２端２２との間に位置する、装着者の脇腹に宛がわれる曲状部分２３とを有している。ベルト体２０の曲状部分２３の外面には、横方向Ｘの外側に突出する突出板２５が配置される。なお、肩掛式シャワーホルダー１０において、装着状態において装着者の身体と対向する側を内面、その反対側を外面という。
【００１４】
また、図２及び図３を参照すると、ベルト部２０の第１端２１の外面には、中空円筒状の係合凸部２４が位置している。係合凸部２４は、後記の支持体３０の軸部３９が挿通される挿通孔２４ａと、外周面において周方向へ交互に凹凸状に並ぶ係合歯２４ｂとを有する。係合凸部２４の内部には、軸部３９が篏挿される軸受３６が位置する。軸受３６は、フランジ状の当接部３６ａと、当接部３６ａから延出する筒部３６ｂと、当接部３６ａと筒部３６ｂとを貫通する螺子孔３６ｃとを有する。
【００１５】
支持体３０は、ベルト体２０に取り付けられた、基端部３１と、基端部３１から上方へ延びる肩掛部３２と、肩掛部３２の上端３２ａに取り付けられたストッパー３３とを有する。肩掛部３２の下端３２ｂには、ねじ部３４が位置し、上端には螺合孔（不図示）が位置している。基端部３１は、ベルト体２０に固定される円形中空状の固定部３１ａと、固定部３１ａから延出する延出部３１ｂとを有する。支持体３０の基端部３１の後面には、外周に螺合面を有する軸部３９が位置する。軸部３９を囲むように位置する固定部３１ａの内周面には、周方向へ交互に並ぶ凹凸溝から形成された係合歯３１ｃが位置する。
【００１６】
肩掛部３２は、上端３２ａ及び下端３２ｂを有し、下端３２ｂは、ねじ部３４を有する。また、肩掛部３２の上端３２ａ側の部分には、装着者の肩に掛けられるように湾曲した曲状部分３５が位置している。ストッパー３３は、肩掛部３２に連結される連結部と、連結部と交差する方向へ延びる円筒状部とを有し、連結部は、ねじ部３３ａを有する。
【００１７】
肩掛部３２は、下端３２ｂのねじ部３４を基端部３１の延出部３１ｂに形成された螺合孔に挿入して螺合することで基端部３１に取り外し可能に連結される。
また、肩掛部３２は、上端３２ａの螺合孔にストッパー３３のねじ部３３ａを挿入して螺合することでストッパー３３と取り外し可能に連結される。このように、支持体３０は、互いに取り外し可能に連結される複数の部材から構成されていることから、分解が容易であって携帯性に優れ、また、各部材の修理、交換が容易である。ただし、本考案の技術的効果を奏する限りにおいて、支持体３０は一体に成形されたものであってもよく、特に、支持体３０を形成する各部材は一体に成形されていてもよい。また、支持体３０の各部材が別体である場合において、それらが互いに取り外し不能に固定されていてもよいし、螺合以外の他の連結方法で互いに取り外し可能に連結されていてもよい。
【００１８】
支持体３０は、ベルト体２０に対して旋回可能に取り付けられている。具体的には、支持体３０の基端部３１がベルト体２０の係合凸部２４に外面側からそれを被覆し、係合凸部２４の係合歯２４ｂと基端部３１の係合歯３１ｃとが係合した状態となる。かかる状態において、軸部３９が係合凸部２４の挿通孔２４ａを貫通して、係合凸部２４内に位置する軸受３６に篏挿される。装着者が支持体３０を把持して基端部３１を軸部３９の軸周りに旋回させ、支持体３０をベルト体２０に対して９０度いずれかの旋回方向へ移動させることで、装着者の右肩（又は左肩）に掛けることができる。なお、係合歯２４ｂ，３１ｃには、摺接摩擦を考慮して、グリースを塗布してもよい。また、基端部３１に、旋回操作用のハンドルを配置してもよい。
【００１９】
シャワーヘッド１は、保持部４０を介して支持体３０に支持されている。保持部４０は、肩掛部３２に掛止される筒状の取付部４１と、シャワーヘッド１が掛止されるフック４２とを有する。保持部４０は、一体に成形されたものであってもよいが、本実施形態においては、一対の薄板パネル４３から形成されていて、一対の薄板パネル４３は、それらの中央に位置する貫通孔を連通するビス４４を介して互いに連結されている。
【００２０】
筒状の取付部４１とフック４２とは、それぞれ、シャワーヘッド１及び肩掛部３２の大きさに合わせてその内径を僅かに拡げられるように所要の弾性変形性（可撓性）を有している。すなわち、取付部４１は、肩掛部３２に対してスライド移動可能及び回転可能な程度に密接される程度の内径を有して、また、フック４２はシャワーヘッド１が掛止された状態で水を噴射しても、シャワーヘッド１がフック４２から外れたりしないようにシャワーヘッド１を安定して締め付ける程度の内径を有する。
【００２１】
このように、保持部４０の取付部４１は、肩掛部３２においてその長さ方向（支持体３０の長さ方向）にスライド可能なものであるが、基端部３１の延出部３１ｂが肩掛部３２の外径寸法よりも大きい外径寸法を有することから、下端３２ｂ側への移動が阻止される。また、肩掛部３２の上端３２ａにはストッパー３３が配置されていることから、上端３２ａから外方への移動が阻止され、それが支持体３０から抜け落ちることはない。加えて、ストッパー３３は、曲状部分３５の弾性によって、装着状態において装着者の身体側（背側）に押し当てられるように付勢されていることから、保持部４０の移動を阻止するストッパー機能のほかに、支持体３０を身体から位置ずれさせないようにする機能をも有する。
【００２２】
保持部４０の構成としては、図示例のほかに、肩掛部３２の長さ方向へ移動可能なスライダー、スライドレールやガイドレールを使用した各種公知のスライド機構や各種公知の回転機構を組み合わせた構成を採用することができる。また、スライド移動及び/又は回転移動したときに、所定の位置において移動を阻止するためのストッパー機構を備えていてもよい。
【００２３】
肩掛式シャワーホルダー１０の各構成部材の材料としては、各種公知の金属材料、硬質プラスチック材料、軟質プラスチック材料を用いることができる。ただし、身体への密着性、軽量性及び表面の平滑性等を考慮して、ベルト体２０や支持体３０の肩掛部３２は、熱可塑性エラストマーやシリコンゴム等の弾性材料から成形することが好ましい。
【００２４】
図４は、肩掛式シャワーホルダー１０の使用態様を示す図である。肩掛式シャワーホルダー１０を使用するときには、まず、支持体３０をベルト体２０に対して直交するように旋回させた状態として、ベルト体２０を装着者の胴回りに宛がうとともに、ベルト体２０から上方に延出した状態にある支持体３０を身体に沿わせながら肩掛部３２を装着者の肩（左肩）に掛ける。
【００２５】
次に、肩掛部３２から前方へ突出した状態にある保持部４０のフック４２にシャワーヘッド１を掛止させる。このように、肩掛式シャワーホルダー１０を装着及びシャワーヘッド１を掛止させることによって、装着者は、両手がフリーな状態で、シャワーヘッド１のノズルから水を噴射させて対象物に噴射水を当てることができる。
【００２６】
したがって、例えば、介護施設や病院等において、被介護者の洗体や洗髪する際に身体に付いた石鹸や頭部に付いたシャンプーを噴射水で流しながら、両手を使って洗い流し作業を行うことができる。また、両手がフリーな状態でシャワーを使用できることから、動物病院等において、洗体を嫌がる動物の胴体を手で押さえながら洗体作業を行うこともできる。さらに、住宅、小売店、工場等の様々な場所で、両手がフリーな状態でシャワーを使用することができるので、効率的な各種作用を行うことができる。
【００２７】
また、シャワーヘッド１は、装着者の身体の中心側ではなく、肩に掛けられた支持体３０に配置されることから、肩を内側に寄せたり、後方に引いたりして肩の動きを利用することで、シャワーヘッド１が固定された保持部の位置を変えることなく、ノズルから噴射された噴射水が狙った場所に向くように調整することができる。
【００２８】
また、装着者の肩に掛けられる支持体３０のみでは、シャワーが高圧水流を噴射したとき等にその反動でシャワーヘッド１が揺動又は回転して支持体３０が肩から外れて落下したりするおそれがある。本実施形態では、肩掛式シャワーホルダー１０が、曲状部分３５において肩に掛けられた肩掛部３２と、それと直交するように延びて曲状部分２３が脇腹に沿って宛がわれるベルト体２０とによって身体に固定される。したがって、いわば身体に対して縦断する方向に延びる支持体３０と横断方向に延びるベルト体２０との両方に延びる部材によって固定されることから、いずれかの方向にのみ固定される場合に比べて、身体に対する装着性に優れるといえる。
【００２９】
既述のとおり、支持体３０のストッパー３３が肩の背面側に位置し、肩掛部３２の弾性によってストッパー３３が身体へ押し当てられることで、支持体３０が肩から位置ずれするのをさらに効果的に抑制することができる。
【００３０】
ベルト体２０の曲状部分２３の外面には、突出板２５が配置されている。使用状態において、突出板２５が装着者の肘と対向するように位置しており、肘で突出板２５を抑えることによって、使用中にシャワーヘッド１に噴射による反動が与えられても、ベルト体２０が移動して肩掛式シャワーホルダー１０全体が位置ずれするのを抑制することができる。
【００３１】
図５は、肩掛式シャワーホルダー１０の他の使用態様を示す図である。本使用態様では、ベルト体２０に対して、支持体３０を図４に示す態様とは反対側へそれと直交するように旋回し、肩掛部３２を装着者の右肩に掛けている。かかる使用態様であっても、装着者は両手でフリーな状態で被介護者等に噴射水を当てながら洗体等の作業を行うことができる。特に、左肩及び左腕が完全にフリーな状態となるので、装着者が左利きの場合には、有効な使用態様であるといえる。
【００３２】
このように、本実施形態に係る肩掛式シャワーホルダー１０は、支持体３０が旋回可能であることから、装着者の左肩及び右肩の両方に掛けて使用することができる。したがって、装着者の利き手に合わせて使用態様を変更できることのほかに、作業内容、作業場のスペース等を考慮して、左右肩のいずれに掛止するべきか適宜自由に選択することができる。
【００３３】
図６（ａ）は、肩掛式シャワーホルダー１０において、シャワーヘッド１を外側へ向けた状態を示す図、図６（ｂ）は、肩掛式シャワーホルダー１０において、シャワーヘッド１を内側へ向けた状態を示す図である。図６（ａ）を参照すると、保持部４０のフック４２は、装着者の正面ではなく、横方向の外側に向いた状態にあり、一方、図６（ｂ）を参照すると、保持部４０のフック４２は、装着者の正面ではなく、横方向の内側に向いた状態にある。このように、保持部４０を回転させてフック４２の角度を調整することによって、シャワーヘッド１の向きを自在に変更することができる。
【００３４】
図７（ａ）は、肩掛式シャワーホルダー１０において、シャワーヘッド１を上方に移動させた状態を示す図、図７（ｂ）は、肩掛式シャワーホルダー１０においてシャワーヘッド１を下方に移動させた状態を示す図である。各図に示すとおり、保持部４０を肩掛部３２において上方へスライド移動させることによってシャワーヘッド１を上方に位置させることができるとともに、下方へスライド移動させることで、シャワーヘッド１を下方に位置させることもできる。
【００３５】
また、保持部４０を上方へスライド移動させて、シャワーヘッド１のノズルを装着者の肩よりもさらに高く位置させることによって、それが肩よりも低い位置にのみ配置される場合に比べて、ノズルから噴射される噴射水の噴射範囲が広くなって、より的確に所望の位置に噴射することができるといえる。
【００３６】
図８は、肩掛式シャワーホルダー１０をコンパクトにした状態を示す図である。支持体３０の曲状部分３５とベルト体２０の曲状部分２３とを互いの向きを合わせるように対向して位置させることによって、肩掛式シャワーホルダー１０をコンパクトにした状態で携帯、所持することができる。また、ベルト体２０が支持体３０に比べて緩やかにカーブした形状を有することから、ベルト体２０と支持体３０との間の空間に保持部４０を位置させることができ、かかる態様において保持部４０が邪魔になることはない。
【００３７】
図９は、第１実施形態に係る肩掛式シャワーホルダー１０の他の実施態様における図２と同様の図である。本実施態様においては、ベルト体２０の内面側には、ウレタン、ゴム、スポンジ等のクッション性のある材料から形成されたパッド５が配置されている。パッド５は、ベルト体２０の係合凸部２４の後面開口とほぼ同形同大の開口５ａを有する。装着状態において、クッション性のあるパッド５が装着者の身体に当接されることで、腹部の圧迫感を低減することができる。
【００３８】
肩掛式シャワーホルダー１０は、オプションとして、ベルト体２０の第１及び第２端２１、２２とをつなぐ連結ストラップ６を有する。連結ストラップ６は、第１端２１の挿通孔２１ａを介してベルト体２０に取り付けられた第１帯片と、第２端２２の挿通孔２２ａを介してベルト体２０に取り付けられた第２帯片とを有し、それらが互いにバックル等の連結手段を介して連結されている。連結ストラップ６を有することで、装着者の胴周りを環状に締め付けることができ、ベルト体２０をより安定して固定することができる。
【００３９】
また、本実施態様においては、支持体３０の肩掛部３２は、ゴムや軟質プラスチック材料等から形成されたカバー３８ａと、カバー３８ａに被覆された金属や硬質プラスチック材料等から形成された芯材３８ｂとを有する。支持体３０がかかる構成を有することによって、カバー３８ａが装着者の肩の形状に沿って変形して、より身体へフィットさせることができる。
【００４０】
＜第２実施形態＞
第２実施形態に係る肩掛式シャワーホルダー１０の基本構成は、第１実施形態に係る肩掛式シャワーホルダー１０と同じであって、主として相違する構成についてのみ以下において説明する。
【００４１】
図１０は、第２実施形態に係る肩掛式シャワーホルダー１０の使用状態を示す図である。本実施態様では、肩掛式シャワーホルダー１０は、装着者の身体に装着される略Ｌ字形の装着本体５０と、装着本体５０に取り付けられた、保持部４０が位置する支持体６０とを有する。装着本体５０は、曲状部分５１Ａを有する第１部分（ベルト体又は肩掛体）５１と、第１部分５１と交差するように延び、かつ、曲状部分５２Ａを有する第２部分（ベルト体又は肩掛体）５２とを含む。
【００４２】
支持体６０は、第１部分５１の外面側においてその長さ方向に延びる第１支持体６０Ａと、第２部分５２の外面側においてその長さ方向に延びる第２支持体６０Ｂとを有する。第１支持体６０Ａの一方端は、第１部分５１の曲状部分５１Ａ側に位置する挿入部５１Ｂに篏挿されて固定されている。一方、第２支持体６０Ｂの一方端は、第２部分５２の曲状部分５２Ａ側に位置する挿入部５２Ｂに篏挿されて固定されている。また、第１部分５１と第２部分５２との基端が交差して位置する中間部分５３には、第１支持体６０Ａの他方端と第２支持体６０Ｂの他方端とが互いに連結されるジョイント５５が位置している。第１及び第２支持体６０Ａ，６０Ｂは、装着本体５０の取り外し可能に取り付けられている。
【００４３】
図１１は、他の実施態様における肩掛式シャワーホルダー１０を装着者の左肩に掛けた使用状態を示す図である。本使用例では、第１部分５１を左肩に掛け、かつ、第１部分５１の外面側においてその長さ方向へ延びる第１支持体６０Ａに保持部４０を取り付け、そのフック４２にシャワーヘッド１を掛止させる。かかる装着態様では、第１部分５１が左肩に掛けられるとともに、第２部分５２が身体を横断して、その曲状部分５２Ａが右脇腹に掛けられた状態となることから、肩掛式シャワーホルダー１０が身体に安定的に装着される。  
【００４４】
図１２は、第２実施形態における肩掛式シャワーホルダー１０を装着者の右肩に掛けた使用態様を示す図である。本使用例では、第２部分５２を右肩に掛け、かつ、第２部分５２の外面側においてその長さ方向へ延びる第２支持体６０Ｂに保持部４０を取り付け、そのフック４２にシャワーヘッド１を掛止させる。かかる装着態様では、第２部分５２の曲状部分５２Ａが右肩に掛けられるとともに、第２部分５２と直交して横方向へ延びる第１部分５１の曲状部分５１Ａが左脇腹に当接した状態となることから、肩掛式シャワーホルダー１０（装着本体５０）が身体に安定的に装着される。このように、保持部４０は、支持体６０に対して着脱可能であって、第１及び第２支持体６０Ａ，６０Ｂのいずれかに自由に取り付けて使用することができる。
【００４５】
装着本体５０は、本実施形態のように、第１及び第２部分５１，５２がそれぞれベルト体と肩掛体とに相当するようにＬ字形の形状を有するほかに、第１実施形態のようにベルト体２０のみを有する形状を含む。装着本体５０の第１部分５１と第２部分５２とは、硬質又は軟質プラスチック材料、シリコンゴム等の軟質弾性材料などから一体的に形成することができる。また、第１部分５１と第２部分５２とが別体であって、ファスナや掛止ボタン等の公知の連結手段で互いに連結されていてもよい。
【００４６】
第１実施形態に係る肩掛式シャワーホルダー１０においては、支持体３０の旋回機構のための部品点数が多く、やや煩雑な機構であったのに対し、本実施形態に係る肩掛式シャワーホルダー１０によれば、大きな構成として、略Ｌ字形状の装着本体５０とそれに取り外し可能に取り付けられた一対の支持体６０Ａ，６０Ｂとからなるものであるから、部品点数が比較的に少なく、簡易な構成であるといえる。したがって、第１実施形態に比べて、より製造が容易であって、製造コストを抑えることができる。
【００４７】
また、装着本体５０がベルト体と一体となった肩掛体を有することから、肩掛式シャワーホルダー１０が第１実施形態に比べてより安定して身体に装着される。また、装着者の肩には比較的に幅広の肩掛体が掛けられ、支持体３０が直接的に肩に掛けられないことから、細棒状の支持体３０が身体に強く押し当てられて締付感を与えることはない。
【００４８】
本考案に係る肩掛式シャワーホルダー１０を構成する各部材には、この種の分野において公知の材料を制限なく用いることができる。また、図示例と異なり、ベルト体２０、支持体３０及び保持部４０が一体に成形されたものであってもよいし、本考案の技術的効果を奏する限りにおいて、各構成部材の形状、大きさ、配置等は、適宜変更することができる。
【符号の説明】
【００４９】
１    シャワーヘッド
１０    肩掛式シャワーホルダー
２０    ベルト体
３０    支持体
３２    肩掛部
４０    保持部
４２    フック
５０    装着本体
５１    第１部分（ベルト体又は肩掛体）
５２    第２部分（ベルト体又は肩掛体）
５３    中間部分
５５    ジョイント
６０    支持体
６０A  第１支持体
６０B  第２支持体
Ｘ    横方向
Ｙ    上下方向
【図１】
0003227090.tif 000003
【図２】
0003227090.tif 000004
【図３】
0003227090.tif 000005
【図４】
0003227090.tif 000006
【図５】
0003227090.tif 000007
【図６】
0003227090.tif 000008
【図７】
0003227090.tif 000009
【図８】
0003227090.tif 000010
【図９】
0003227090.tif 000011
【図１０】
0003227090.tif 000012
【図１１】
0003227090.tif 000013
【図１２】
0003227090.tif 000014
【手続補正書】
【提出日】令和2年4月24日(2020.4.24)
【手続補正１】
【補正対象書類名】実用新案登録請求の範囲
【補正対象項目名】全文
【補正方法】変更
【補正の内容】
【実用新案登録請求の範囲】
【請求項１】
装着者の胴回りに取り付けられるベルト体と、前記ベルト体と交差する方向へ延び、シャワーヘッドが支持される支持体とを含み、
前記支持体は、前記装着者の肩に掛けられる肩掛部を有し、前記肩掛部に前記シャワーヘッドが掛止されるフックを有する保持部が位置する肩掛式シャワーホルダー。
【請求項２】
前記支持体は、前記ベルト体に旋回可能に取り付けられる請求項１に記載の肩掛式シャワーホルダー。
【請求項３】
前記保持部は、前記肩掛部において、その長さ方向へスライド可能かつ回転可能に配置されている請求項１又は２に記載の肩掛式シャワーホルダー。
【請求項４】
前記ベルト体は、前記装着者の脇腹に掛けられる曲状部分を有し、前記支持体の前記肩掛部は前記装着者の肩に掛けられる曲状部分を有する請求項１〜３のいずれかに記載の肩掛式シャワーホルダー。
【請求項５】
装着者の身体に装着される略Ｌ字形の装着本体と、シャワーヘッドが支持される支持体とを含み、
前記装着本体は、第１部分と、前記第１部分と交差する方向に延びる第２部分とを有し、
前記支持体は、前記第１部分の外面側においてその長さ方向に延びる第１支持体と前記第２部分の外面側においてその長さ方向に延びる第２支持体とを有し、
装着状態において、前記第１部分及び前記第２部分のうちの一方の部分が前記装着者の肩に掛けられ、他方の部分が前記装着者の胴回りに取り付けられる肩掛式シャワーホルダー。
【請求項６】
前記第１支持体と前記第２支持体とは、前記第１部分と前記第２部分とが互いに交差する中間部分に位置するジョイントを介して互いに連結される請求項５に記載の肩掛式シャワーホルダー。
【手続補正２】
【補正対象書類名】明細書
【補正対象項目名】０００８
【補正方法】変更
【補正の内容】
【０００８】
前記課題を解決するために、本願の第１考案は、装着者の胴回りに取り付けられるベルト体と、前記ベルト体と交差する方向へ延び、シャワーヘッドが支持される支持体とを含み、前記支持体は、前記装着者の肩に掛けられる肩掛部を有し、前記肩掛部に前記シャワーヘッドが掛止されるフックを有する保持部が位置する肩掛式シャワーホルダーに関する。
【手続補正３】
【補正対象書類名】明細書
【補正対象項目名】０００９
【補正方法】変更
【補正の内容】
【０００９】
本考案に係る肩掛式シャワーホルダーは、以下の実施の態様を含む。
（１）前記支持体は、前記ベルト体に旋回可能に取り付けられる。
（２）前記保持部は、前記肩掛部において、その長さ方向へスライド可能かつ回転可能に配置されている。
（３）前記ベルト体は、前記装着者の脇腹に掛けられる曲状部分を有し、前記支持体の前記肩掛部は前記装着者の肩に掛けられる曲状部分を有する。
（４）本願の第２考案は、装着者の身体に装着される略Ｌ字形の装着本体と、シャワーヘッドが支持される支持体とを含み、前記装着本体は、第１部分と、前記第１部分と交差する方向に延びる第２部分とを有し、前記支持体は、前記第１部分の外面側においてその長さ方向に延びる第１支持体と前記第２部分の外面側においてその長さ方向に延びる第２支持体とを有し、装着状態において、前記第１部分及び前記第２部分のうちの一方の部分が前記装着者の肩に掛けられ、他方の部分が前記装着者の胴回りに取り付けられる。
（５）前記第１支持体と前記第２支持体とは、前記第１部分と前記第２部分とが互いに交差する中間部分に位置するジョイントを介して互いに連結される。